(57)【要約】【課題】同期検知で同期が外れたとき、自動復帰可能な同期異常の場合、同期異常を回復させて画像形成が再開できるようにする。  【解決手段】複数の光源８，９と、光源の発光を制御し画像信号に応じた光信号を出力させＬＤ制御部２０６と、光源からの出射光を主走査方向に走査するポリゴンミラー１と、走査光を主走査開始前に受光可能な位置に配された同期センサと、同期センサで検知した光に対応して同期信号を発生する同期信号発生器７とを有し、同期信号の同期エラーを検知する総合異常検知部２０１と、総合異常検知部２０１が同期エラーを検知したとき、光信号のライン走査において前記光源を発光させるタイミングを再設定して同期信号の発生を正常に自動復帰させる自動復帰制御部２０２とを備え、前記同期検知センサは複数の前記光源からの光を受光し、前記発光のためのタイミングを他の光源の前記同期信号を基準とする光源を有する。【選択図】図１
2009220492.tif 000002
【特許請求の範囲】
【請求項１】
光書き込みを行うための複数の光源と、
前記光源の発光を制御し画像信号に応じた光信号を出力させると共に、この光信号のライン走査中の所定のタイミングで前記光源を発光させる光源制御手段と、
前記光信号を反射し、この反射光信号を感光体上で主走査方向に走査して露光する回転多面鏡と、
前記反射光信号中の前記所定のタイミングで光源から発光された光を前記主走査方向の走査開始前に受光可能な位置に配置された同期検知手段と、
前記同期検知手段で検知した前記光に対応して同期信号を発生する同期信号発生手段と、
前記同期信号の同期エラーを検知するエラー検知手段と、
前記エラー検知手段が同期エラーを検知したとき、前記光信号のライン走査において前記光源を発光させるタイミングを再設定して前記同期信号の発生を正常に自動復帰させる自動復帰手段と、
を備えた光書き込み装置において、
前記同期検知手段は複数の前記光源からの光を受光し、
前記発光のためのタイミングを他の光源の前記同期信号を基準とする光源を有することを特徴とする光書き込み装置。
前記自動復帰手段は前記同期検知手段で受光した光源の同期信号を基準として他の光源の発光タイミングを設定することを特徴とする光書き込み装置。
【請求項２】
請求項１記載の光書き込み装置において、
前記同期検知手段が受光した光がどの前記光源から照射されたものか判断する手段と、
前記同期エラーがどの前記光源からの光で発生したかを判断する手段と、
を備えていることを特徴とする光書き込み装置。
【請求項３】
請求項１又は２記載の光書き込み装置において、
前記発光のためのタイミングを他の光源の前記同期信号を基準とする光源で前記同期エラーが発生した場合、前記自動復帰手段は前記基準となる光源を自動復帰対象とはしないことを特徴とする光書き込み装置。
【請求項４】
請求項１又は２記載の光書き込み装置において、
前記発光のためのタイミングを他の光源の前記同期信号を基準としていない光源で同期エラーが発生した場合、前記発光のためのタイミングを同期エラーが発生した光源の前記同期信号を基準としている光源を自動復帰対象とはしないことを特徴とする光書き込み装置。
【請求項５】
請求項１ないし４のいずれか１項に記載の光書き込み装置を備えていることを特徴とする画像形成装置。
【請求項６】
光書き込みを行うための複数の光源と、
前記光源の発光を制御し画像信号に応じた光信号を出力させると共に、この光信号のライン走査中の所定のタイミングで前記光源を発光させる光源制御手段と、
前記光信号を反射し、この反射光信号を感光体上で主走査方向に走査して露光する回転多面鏡と、
前記反射光信号中の前記所定のタイミングで光源から発光された光を前記主走査方向の走査開始前に受光可能な位置に配置された同期検知手段と、
前記同期検知手段で検知した前記光に対応して同期信号を発生する同期信号発生手段と、
を有し、前記同期信号に基づいて光書き込みを行う光書き込み方法において、
前記同期信号の同期エラーを検知するエラー検知手段によって同期エラーを検知したとき、前記光信号のライン走査において前記光源を発光させるタイミングを再設定して前記同期信号の発生を正常に自動復帰させ、前記同期検知手段で受光した光源の同期信号を基準として他の光源の発光タイミングを設定することを特徴とする光書き込み方法。
【請求項７】
光書き込みを行うための複数の光源と、
前記光源の発光を制御し画像信号に応じた光信号を出力させると共に、この光信号のライン走査中の所定のタイミングで前記光源を発光させる光源制御手段と、
前記光信号を反射し、この反射光信号を感光体上で主走査方向に走査して露光する回転多面鏡と、
前記反射光信号中の前記所定のタイミングで光源から発光された光を前記主走査方向の走査開始前に受光可能な位置に配置された同期検知手段と、
前記同期検知手段で検知した前記光に対応して同期信号を発生する同期信号発生手段と、
を有し、前記同期信号に基づいて光書き込みをコンピュータによって行わせるコンピュータプログラムにおいて、
前記同期信号の同期エラーを検知するエラー検知手段によって同期エラーを検知する処理と、
前記同期エラーを検知する処理で同期エラーを検知したとき、前記光信号のライン走査において前記光源を発光させるタイミングを再設定して前記同期信号の発生を正常に自動復帰させる処理と、
前記自動復帰させる処理によって復帰した後に、前記同期検知手段で受光した光源の同期信号を基準として他の光源の発光タイミングを設定する処理と、
を備えていることを特徴とするコンピュータプログラム。
【発明の詳細な説明】
【技術分野】
【０００１】
本発明は、複数の光源から出射されるレーザ光によって光書き込みを行う光書き込み装置、この光書き込み装置を備え、複写機、プリンタ、ファクシミリ、あるいはこれらのうちの少なくとも２つの機能を備えたデジタル複合機等の画像形成装置、この画像形成装置で実施される画像形成方法、及びこの画像形成方法をコンピュータで実行するためのコンピュータプログラムに関する。
【背景技術】
【０００２】
ＬＤ等のレーザ光源から出射されたレーザ光を、ポリゴンモータのような走査装置を使って感光体上に画像を形成する方式の画像形成装置では、主走査方向の書き出し位置を特定するために１ラインごとの同期が不可欠である。同期をとるため、例えば、
１）まず、レーザ光を受光することによって同期信号を発生する装置を、非画像領域の光を受光するように設置する。  
２）次に、ＬＤ駆動に用いられる周波数を基にしたカウンタを利用して、カウント値が前記同期信号発生装置の受光できるタイミングになったら、レーザ光を出力させて同期信号を発生させ、この同期信号を基準に主走査方向の画像展開をする。  
という方法がとられる。
【０００３】
画像形成装置が正常な動作をしていれば、１ライン走査ごとに同期信号が発生して、意図した書き込みが開始されるが、同期信号が発生しないと、次の走査では意図した書き込みができないため異常画像になる。そのため、同期信号が発生しなかった場合は、大抵画像形成装置の異常と判断して画像形成装置を停止させる。
【０００４】
同期信号の異常には原因がいろいろある。例えば同期検知センサに受光を妨げる付着物がついている場合や、ポリゴンモータの反射面に光の反射を妨げる付着物がついている場合、光源の劣化に伴う出力不足で同期検知センサが光を認識できない場合、ポリゴンモータの回転異常や温度変化によるレンズ特性の変化のため同期検知センサに光を出力できない場合等が挙げられる。同期信号異常の原因特定については、例えば、特許文献１，２，３に記載の発明が提案されている。
【０００５】
このうち、特許文献１には、水平同期の異常を確実に検出することを可能とするデジタル画像形成装置について開示され、特許文献２には、デジタル画像形成装置における同期信号異常を素早く検知できるようにしたデジタル画像形成装置について開示され、特許文献３には、発生装置のトラブルに伴って同期検知異常信号が発生したときに不適切な警告を発するのを防止する画像形成装置について開示されている。
【特許文献１】特許第３５０８３６４号公報
【特許文献２】特開２００３−３２６７５９号公報
【特許文献３】特開２００３−５７５８０号公報
【発明の開示】
【発明が解決しようとする課題】
【０００６】
特許文献１ないし３記載の技術を含め、従来では、同期信号の異常を検知することはできるが、これを自動的に復帰させることはできなかった。そのため、ユーザがいちいち画像形成装置を停止させて復旧作業をした後、印刷再開を行うようにしていた。ので、甚だ効率が悪かった。
【０００７】
一方、近年の画像形成装置に、光源の発光タイミングを他の光源の同期信号を基準にして制御するものがある。しかし、光源の発光タイミングを他の光源の同期信号を基準にして制御する光源を後行、後行の基準となる光源を先行とすると、先行光源で同期信号が得られないと、後行光源自体に異常がなくても後行光源は発光タイミングを失い、発光できず同期信号が得られなくなる。従来では、後行光源自体に異常はなく先行光源の異常によって後行光源の同期信号が得られない場合、後行光源も自動復帰動作対象となるが、この場合、自動復帰動作が必要なのは先行光源のみである。
【０００８】
本発明はこのような従来技術の実情に鑑みてなされたもので、本発明が解決しようとする課題は、同期検知で同期が外れたとき、自動復帰可能な同期異常の場合、同期異常を回復して画像形成を再開できるようにすることにある。
【課題を解決するための手段】
【０００９】
前記課題を解決するため、第１の手段は、光書き込みを行うための複数の光源と、前記光源の発光を制御し画像信号に応じた光信号を出力させると共に、この光信号のライン走査中の所定のタイミングで前記光源を発光させる光源制御手段と、前記光信号を反射し、この反射光信号を感光体上で主走査方向に走査して露光する回転多面鏡と、前記反射光信号中の前記所定のタイミングで光源から発光された光を前記主走査開始前に受光可能な位置に配置された同期検知手段と、前記同期検知手段で検知した前記光に対応して同期信号を発生する同期信号発生手段と、前記同期信号の同期エラーを検知するエラー検知手段と、前記エラー検知手段が同期エラーを検知したとき、前記光信号のライン走査において前記光源を発光させるタイミングを再設定して前記同期信号の発生を正常に自動復帰させる自動復帰手段と、を備えた光書き込み装置において、前記同期検知手段は複数の前記光源からの光を受光し、前記発光のためのタイミングを他の光源の前記同期信号を基準とする光源を有することを特徴とする。
【００１０】
第２の手段は、第１の手段において、前記同期検知手段が受光した光がどの前記光源から照射されたものか判断する手段と、前記同期エラーがどの前記光源からの光で発生したかを判断する手段と、を備えていることを特徴とする。
【００１１】
第３の手段は、第１又は第２の手段において、前記発光のためのタイミングを他の光源の前記同期信号を基準とする光源で前記同期エラーが発生した場合、前記自動復帰手段は前記基準となる光源を自動復帰対象とはしないことを特徴とする。
【００１２】
第４の手段は、第１又は第２の手段において、前記発光のためのタイミングを他の光源の前記同期信号を基準としていない光源で同期エラーが発生した場合、前記発光のためのタイミングを同期エラーが発生した光源の前記同期信号を基準としている光源を自動復帰対象とはしないことを特徴とする。
【００１３】
第５の手段は、第１ないし第４のいずれかの手段に係る光書き込み装置を画像形成装置が備えていることを特徴とする。
【００１４】
第６の手段は、光書き込みを行うための複数の光源と、前記光源の発光を制御し画像信号に応じた光信号を出力させると共に、この光信号のライン走査中の所定のタイミングで前記光源を発光させる光源制御手段と、前記光信号を反射し、この反射光信号を感光体上で主走査方向に走査して露光する回転多面鏡と、前記反射光信号中の前記所定のタイミングで光源から発光された光を前記主走査開始前に受光可能な位置に配置された同期検知手段と、前記同期検知手段で検知した前記光に対応して同期信号を発生する同期信号発生手段とを有し、前記同期信号に基づいて光書き込みを行う光書き込み方法において、前記同期信号の同期エラーを検知するエラー検知手段によって同期エラーを検知したとき、前記光信号のライン走査において前記光源を発光させるタイミングを再設定して前記同期信号の発生を正常に自動復帰させ、前記同期検知手段で受光した光源の同期信号を基準として他の光源の発光タイミングを設定することを特徴とする。
【００１５】
第７の手段は、光書き込みを行うための複数の光源と、前記光源の発光を制御し画像信号に応じた光信号を出力させると共に、この光信号のライン走査中の所定のタイミングで前記光源を発光させる光源制御手段と、前記光信号を反射し、この反射光信号を感光体上で主走査方向に走査して露光する回転多面鏡と、前記反射光信号中の前記所定のタイミングで光源から発光された光を前記主走査開始前に受光可能な位置に配置された同期検知手段と、前記同期検知手段で検知した前記光に対応して同期信号を発生する同期信号発生手段とを有し、前記同期信号に基づいて光書き込みをコンピュータによって行わせるコンピュータプログラムにおいて、前記同期信号の同期エラーを検知するエラー検知手段によって同期エラーを検知する処理と、前記同期エラーを検知する処理で同期エラーを検知したとき、前記光信号のライン走査において前記光源を発光させるタイミングを再設定して前記同期信号の発生を正常に自動復帰させる処理と、前記自動復帰させる処理によって復帰した後に、前記同期検知手段で受光した光源の同期信号を基準として他の光源の発光タイミングを設定する処理と、を備えていることを特徴とする。
【００１６】
なお、後述の実施形態では、複数の光源は先行光源８及び後行光源９に、光源制御手段はＬＤ制御部２０６に、回転多面鏡はポリゴンミラー１に、同期検知手段は図示しない光センサからなる同期センサに、同期信号発生手段は同期信号発生器７に、エラー検知手段は総合異常検知部２０１に、自動復帰手段は自動復帰制御部２０２に、タイミングを設定する手段は自動復帰制御部２０２に、同期検知手段が受光した光がどの光源から照射されたものか判断する手段及び同期エラーがどの光源からの光で発生したかを判断する手段は総合異常検知部２０１に、それぞれ対応し、前記各手段で行われる同期検知制御及び自動復帰制御は制御ユニット２００を含むＣＰＵが実行する。
【発明の効果】
【００１７】
本発明によれば、同期検知で同期が外れたとき、自動復帰可能な同期異常の場合、同期検知手段で受光した光源の同期信号を基準として他の光源の発光タイミングを設定するので、同期異常を回復させて画像形成再開させることができる。
【発明を実施するための最良の形態】
【００１８】
以下、本発明の実施形態について、図面を参照して説明する。
【実施例１】
【００１９】
図１は、本実施例に係る光書き込み装置のシステム構成の一例を示す図である。本実施例に係る画像形成装置は、光書き込み装置１００とこの光書き込み装置のための制御ユニット２００とを備えている。光書き込み装置１００は、ポリゴンミラー１、第１レンズ２、第２レンズ３、第１ないし第３ミラー４、５、６、同期信号発生器７、先行光源８、及び後行光源９を備えている。第１及び第２ミラー４、５は、図示しない感光体に書き込み用のレーザ光を導くためのものである。第３ミラー６は、同期信号を発生する同期信号発生器７に光を導くためのものである。先行光源８及び後行光源９は、ポリゴンミラー１に光を照射する。
【００２０】
制御ユニット２００は、総合異常検知部２０１、自動復帰制御部２０２、主走査カウンタ２０３、同期検知部２０４、ポリゴン制御部２０５、及びＬＤ制御部２０６を備えている。総合異常検知部２０１は、先行光源８、後行光源９、ポリゴンミラー１等に異常がないか否かを確認する機能を有する。自動復帰制御部２０２は、同期信号の異常原因を検出した場合に、同期信号の自動復帰制御を行う。主走査カウンタ２０３は、１ライン走査の主走査カウント値をカウントする。同期検知部２０４は、同期信号発生器７が発生した同期信号を検知する。ポリゴン制御部２０５は、ポリゴンミラー１の回転駆動を制御する。ＬＤ制御部２０６は、先行光源８、後行光源９の発光制御を司る。
【００２１】
本実施例に係る画像形成装置は、２つの光源である先行光源８及び後行光源９から、所定のタイミングでポリゴンミラー１にレーザ光を照射する。ポリゴンミラー１に照射されたレーザ光は、第１及び第２ミラー４，５に導かれ、第１及び第２ミラー４，５で反射した光は、図示しない感光体に到達し、主走査方向に走査し、光書き込みが行われる。これにより、感光体表面に潜像が形成される。
【００２２】
また、ポリゴンミラー１に照射された光は、第３ミラー６を介して同期信号発生器７に導かれる。これにより、ポリゴンミラー１で偏向走査された光が、走査の過程で同期信号発生器７に照射されることになる。なお、本実施例における同期信号発生器７は、同期センサを搭載しており、同期センサで光を検知した場合に、同期信号が発生することになる。すなわち、レーザ光は同時に走査される過程で同一の同期信号発生器７に照射することになる。
【００２３】
図２は、図１に示す光書き込み装置１００を横から見た状態を示す図である。図２に示すように、光書き込み装置１００は、２つの光源８，９からポリゴンミラー１に照射する光路の高さが異なっている。このため、本実施例に係る光書き込み装置１００は、２つの光源８，９から同時に光走査を行うことが可能となる。光書き込み装置１００は、先行光源８から照射した光が、ポリゴンミラー１に当たり、そのポリゴンミラー１で偏向走査された光が、第３ミラー６を介して同期信号発生器７に入力することになる。同期信号発生器７は、その同期信号発生器７に搭載された同期センサにより光を検知した場合に、同期信号を生成し、その生成した同期信号を、同期検知部２０４に出力する。
【００２４】
同期検知部２０４は、同期信号発生器７から出力された同期信号に基づいて先行光源８の同期信号か、後行光源９の同期信号かを判断する。先行光源８の同期信号か、後行光源９の同期信号かは、例えば、同期信号発生器７から出力された同期信号を同期検知部２０４が受付けた順で判断する。すなわち、同期検知部２０４が最初に同期信号発生器７から受付けた同期信号を、先行光源８の同期信号と判断し、次に同期信号発生器７から受付けた同期信号を、後行光源９の同期信号と判断し、その次に同期信号発生器７から受付けた同期信号を、先行光源８の同期信号と判断する。これにより、同期検知部２０４は、例えば奇数回の同期信号を先行光源８の同期信号と判断し、偶数回の同期信号を後行光源９の同期信号と判断することが可能となる。
【００２５】
そして、同期検知部２０４は、先行光源８の同期信号と判断した場合には、ＬＤ制御部２０６は、所定の間隔を空けて、後行光源９から光を照射するように制御する。上記所定の間隔は、例えば、光源８、９のクロックをカウントする方法が挙げられる。後行光源９から照射された光は、ポリゴンミラー１に当たり、そのポリゴンミラー１で偏向走査された光は、第３ミラー６を介して同期信号発生器７に入力することになる。
【００２６】
同期信号発生器７は、同期センサにより光を検知した場合に、同期信号を生成し、その生成した同期信号を、同期検知部２０４に出力する。同期検知部２０４は、同期信号発生器７から出力された同期信号に基づいて先行光源８の同期信号か、後行光源９の同期信号かを判断する。なお、同期検知部２０４は、先行光源８の同期信号か後行光源９の同期信号かを判断することができない場合には、同期検知部２０４は、先行光源８の異常原因同期エラーの発生と共に、後行光源９の光照射を開始することができなくなる。その結果、後行光源９の異常原因同期エラーも発生することになる。
【００２７】
図３は本実施例に係る自動復帰処理の処理手順を示すフローチャートである。同図において、同期検知部２０４は同期信号発生器から出力される同期信号を検知し（ステップＳ１）、同期信号が出ているかどうかを判断する（ステップＳ２）。同期信号が出力されていなかったら、光源が先行光源８かどうか判断する（ステップＳ３）。光源が先行光源８であれば、先行光源８の同期エラーとして総合異常検知部２０１に通知し、自動復帰対象を先行光源８とする（ステップＳ５-１）。
【００２８】
光源が先行光源８でない場合は、先行光源８が同期エラーかどうかを判断する（ステップＳ４）。先行光源８がエラーのときは先行光源８の同期エラーとして総合異常検知部２０１に通知し、先行光源８を自動復帰対象とする（ステップＳ５-１）。先行光源８がエラーでないときは後行光源９の同期エラーとして総合異常検知部２０１に通知し、後行光源９を自動復帰対象とする（ステップＳ５-２）。
【００２９】
総合異常検知部２０１は、エラー対象となっているＬＤ（先行光源８又は後行光源９）とポリゴンモータに異常がないかを確認する（ステップＳ６、Ｓ７）。ＬＤとポリゴンモータに異常がなければ、自動復帰制御部２０２に自動復帰動作の実行を依頼する。自動復帰制御部２０２は、ＬＤ制御部２０６を制御して自動復帰動作対象のＬＤを強制的に連続発光させる。ＬＤが連続して発光されると、１ライン走査が行われる（ステップＳ８）。この１ライン走査中のどこかでＬＤからの光は同期信号発生器７に設けられている光センサからなる同期センサにより検知されるので、同期信号発生器７から同期信号が出力される。そのときの主走査カウンタのカウント値が保存される（ステップＳ９）。１ライン走査中のカウント値が取得できると、同期信号発生器７に設けられている同期センサの検知位置を推定することができる。
【００３０】
図４は自動復帰前後のカウント値の状態を示す説明図である。この図は、自動復帰動作前には、１ライン走査の主走査カウンタのカウント値が「10000」で動作中に、同期異常で同期信号が入らなくなり、自動復帰動作により１ライン走査し、カウンタ値を取得したら「8000」だった場合の例である。この例では、カウント値「10000」の位置でＬＤを点灯させていたら、ちょうど同期信号発生器７についている同期センサが同期信号検知位置であったものが、例えばレンズの特性変化等の原因により１ラインあたりのカウント値が変化して、カウント値「8000」の位置で点灯させないと同期信号発生器７についている同期センサで検知できなくなってしまったということを示している。この状態でカウント値「10000」の位置でＬＤを点灯させても、その光は同期信号発生器７についている同期センサを通り越してしまうので、同期信号を発生させることができない。そこで自動復帰動作時にカウント値を「8000」にすると、そこが同期信号検知位置であると推定できる。従って、以後はＬＤを点灯させる位置を8000カウントとすれば、同期信号検知位置でＬＤを点灯させることができる。
【００３１】
自動復帰制御部２０２は、以上のようにしてカウント値を取得したら（ステップＳ１０−Ｙ）、このカウント値に基づいて同期信号検知のためのＬＤの点灯位置を再設定することにより（ステップＳ１１）、自動復帰制御を終了させる。その後は、通常動作に戻り、同期検知部２０４は再び同期信号が出ているかを検知する（Ｓ１２）。なお、ステップＳ５、Ｓ７、Ｓ１０及びＳ１２のチェックでＮｏと判定された場合、シャットダウン処理を実行し（ステップＳ１３）、処理を終える。
【実施例２】
【００３２】
図５は実施例２に係る光書き込み装置のシステム構成を示す図である。この図５に示したシステムは、同期検知手段が受光した光がどの前記光源から照射されたものか判断する手段と、同期エラーがどの前記光源からの光で発生したかを判断する手段を不要とした例である。図６は図５の光書き込み装置を横から見た状態を示す図である。
【００３３】
図５に示すように実施例２に係る光書き込み装置をポリゴンミラー１の回転軸方向から見ると、先行光源８と後行光源９は重なって配置されており、光路も重なっている。そのため先行光源８のレーザ光と後行光源９のレーザ光が同期信号発生器７に照射されるのは同時である。従って先行光源８と後行光源９のどちらの光を受光したかの判断ができない。そのため、この同期信号は先行光源８と後行光源９で共有し、この同期信号を基準にして先行光源８と後行光源９の主走査カウンタのカウントを開始する。このシステム同期検知ができない場合は、先行光源の同期エラーが発生しているということになる。その他の各部の構成及び配置は実施例１と同様である。
【００３４】
このように構成されたシステムにおける処理は、実施例１の図３のフローチャートにおいて点線で示したようなＲ２となる。すなわち、同期検知部２０４は、同期信号発生器７からの同期信号を検知し（ステップＳ１）、同期信号が出ているかどうかを判断する（ステップＳ２）。同期信号が出ていなかったら、どの光源で同期エラーになっているかの判断（ステップＳ３、Ｓ４）をせずに先行光源８の同期エラーとして総合異常検知部２０１に通知し、先行光源８を自動復帰対象とする（ステップＳ５-１）。その後、ステップ６以降の処理を実行する。
【００３５】
その他、特に説明しない各部及び機能、並びに処理は実施例１と同等である。
【００３６】
なお、図３のフローチャートに示す処理手順は図示しないＲＯＭにプログラムコードとして格納され、画像形成装置あるいは光書き込み装置に搭載された図示しない制御回路上のＣＰＵが図示しないＲＡＭをワークエリアとして使用して実行する。従って、前記ＲＯＭにプログラムコードとして格納されたプログラムは、本発明におけるプログラムを構成し、このプログラムはコンピュータによって読み取り可能な磁気的、あるいは光学的な記録媒体に記録され、頒布される。
【００３７】
図７は実施例１及び２を含む本実施形態における画像形成装置の構成の一例を示す図である。本実施形態に係る画像形成装置は、光書き込み装置１００、制御ユニット２００、感光体３００、転写ローラ４００、搬送ローラ５００、及び検知センサ６００等を備えている。光書き込み装置１００は、感光体３００に光を書き込み、感光体３００に像を形成する。光書き込み装置１００は、感光体３００に像を形成することが可能であれば、あらゆる構成が適用可能であり、例えば、実施例１に係る光書き込み装置１００を適用することが可能である。
【００３８】
制御ユニット２００は、画像形成装置を制御するものであり、自動復帰制御部２０２、総合異常検知部２０１、画像出力制御部２０７、及び転写動作制御部２０８を備えている。画像出力制御部２０７は、光書き込み装置１００を制御し、画像出力制御を行うもので、実施例１及び２における主走査カウンタ２０３、同期検知部２０４、ポリゴン制御部２０５、ＬＤ制御部２０６等を含む。転写動作制御部２０８は、感光体３００に形成された像を被転写体７００に転写する際の制御を行う。
【００３９】
自動復帰制御部２０２は、同期信号の異常原因を検出した場合に、同期信号の自動復帰制御を行う。総合異常検知部２０１は、画像出力制御部２０７、転写動作制御部２０８等に異常がないか否かを確認する。総合異常検知部２０１は、転写動作制御部２０８に、転写動作状態を問い合わせ、転写動作制御部２０８から転写動作状態を取得し、また、画像出力制御部２０７に、画像形成状態を問い合わせ、画像出力制御部２０７から画像形成状態を取得する。
【００４０】
このような各部を備えた画像形成装置によって光書き込み装置１００によって書き込まれた画像を顕像化し、可視画像として出力することができる。
【００４１】
以上のように、本実施形態によれば、
１）同期検知部２０４が複数の光源８，９からの光を受光することによって同期信号発生器７の個数を減らすことができる。  
２）自動復帰や異常発生の対象となる光源を特定することが可能なので、対象としなくてもよい光源への負荷を低減することができる。  
３）後行光源９の同期エラーが先行光源８の異常によるものでないことを把握することができるので、異常でない先行光源８の無駄な自動復帰動作を回避することが可能となる。４）後行光源９の同期エラーが先行光源８の異常によるものであることを把握することができるので、異常でない後行光源９の無駄な自動復帰動作を回避することが可能となる。５）先行光源８の同期エラー検知時に正常動作しているかもしれない後行光源９を自動復帰動作の対象としないようにすることができるので、無駄な自動復帰動作を回避することが可能となる。  
６）同期異常となった光源を使用不可とすることが可能となり、これにより異常画像発生を防止することができる。  
７）先行光源８の同期エラー検知しかしていないため先行光源８を自動復帰させることにより、同期エラーによって画像形成できない状態から復帰することができる。  
８）同期異常が発生していない光源のみを使用可能とすることにより、サービス提供が全くできなくなるという事態を回避することができる。  
９）装置をシャットダウンすることにより画像形成装置全体を使用不可とし、これによりユーザに画像形成装置の修理を促し、完全なるサービスの提供の復帰を促進することができる。  
等の効果を奏する。
【００４２】
なお、本発明は、本実施形態に限定されるものではなく、特許請求の範囲に記載された特許請求の範囲の技術思想に含まれる技術的事項全てに及ぶことは言うまでもない。
【図面の簡単な説明】
【００４３】
【図１】本実施例に係る光書き込み装置のシステム構成の一例を示す図である。
【図２】図１の光書き込み装置を横から見た状態を示す図である。
【図３】本実施例に係る自動復帰処理の処理手順を示すフローチャートである。
【図４】自動復帰前後のカウント値の状態を示す説明図である。
【図５】実施例２に係る光書き込み装置のシステム構成を示す図である。
【図６】図５の光書き込み装置を横から見た状態を示す図である。
【図７】実施例１及び２を含む本実施形態における画像形成装置の構成の一例を示す図である。
【符号の説明】
【００４４】
１    ポリゴンミラー
２    第１レンズ
３    第２レンズ
４    第１ミラー
５    第２ミラー
６    第３ミラー
７    同期信号発生器
８    先行光源
９    後行光源
１００    光書き込み装置
２００    制御ユニット
２０１    総合異常検知部
２０２    自動復帰制御部
２０３    主走査カウンタ
２０４    同期検知部
２０５    ポリゴン制御部
２０６    ＬＤ制御部
２０７    画像出力制御部
２０８    転写動作制御部
【図１】
2009220492.tif 000003
【図２】
2009220492.tif 000004
【図３】
2009220492.tif 000005
【図４】
2009220492.tif 000006
【図５】
2009220492.tif 000007
【図６】
2009220492.tif 000008
【図７】
2009220492.tif 000009